(57)【要約】【課題】ユーザーが階層的に対応付けされた選択肢画像を選択するときの操作性を向上する。【解決手段】選択肢画像Ｄ１〜Ｄ３を表示するための表示領域Ｐを有する表示部８１と、選択肢画像が階層的に対応付けられた画像によって構成されている場合に、選択肢画像を構成する各画像を前記階層的な対応付けに従って順次表示領域Ｐに表示する表示制御部１２と、指示体と表示領域Ｐとの間の空間距離Ｚを検出する距離検出部８２と、指示体の位置に対応する、表示領域Ｐにおける座標を検出する座標検出部８３と、を備え、表示制御部１２は、距離検出部８２により検出された空間距離Ｚが閾値距離よりも短くなると、座標検出部８３により検出された座標の位置に表示されている画像である被指定画像とともに、被指定画像に対応付けられた一つ下位の階層の画像である関連画像を表示領域Ｐに表示する。【選択図】図６
2014232475.tif 000002
【特許請求の範囲】
【請求項１】
ユーザーが指示体を用いて選択する選択肢画像を表示するための表示領域を有する表示部と、
前記選択肢画像が階層的に対応付けられた画像によって構成されている場合に、前記選択肢画像を構成する各画像を、前記階層的な対応付けに従って順次前記表示領域に表示する表示制御部と、
前記指示体と前記表示領域との間の空間距離を検出する距離検出部と、
前記指示体の位置に対応する、前記表示領域における座標を検出する座標検出部と、
を備え、
前記表示制御部は、前記距離検出部により検出された前記空間距離が予め定められた閾値距離よりも短くなると、前記座標検出部により検出された前記座標の位置に表示されている画像である被指定画像とともに、前記被指定画像に対応付けられた一つ下位の階層の画像である関連画像を前記表示領域に表示する複数階層表示処理を実行する表示装置。
【請求項２】
前記閾値距離は、階層が下位になるほど短くなるように前記選択肢画像を構成する各画像の階層にそれぞれ対応付けられ、
前記表示制御部により、前記選択肢画像のうち最下位の階層の画像が前記表示領域に表示されており、且つ、前記座標検出部により検出された座標の位置に前記最下位の階層の画像が表示されている場合に、前記距離検出部により検出された前記空間距離が、前記最下位の階層に対応付けられた前記閾値距離よりも短くなると、前記座標検出部により検出された座標の位置に表示されている前記最下位の階層の画像の選択を受け付ける選択受付部を更に備える請求項１に記載の表示装置。
【請求項３】
前記閾値距離は、階層が下位になるほど短くなるように前記選択肢画像を構成する各画像の階層にそれぞれ対応付けられ、
前記表示制御部は、前記距離検出部により検出された前記空間距離が、前記複数階層表示処理の実行により表示された前記関連画像の階層の一つ上位の階層に対応付けられた前記閾値距離以上になると、当該関連画像を非表示にして、前記選択肢画像を構成する画像のうち、当該関連画像の階層の一つ上位の階層の全ての画像を前記表示領域に表示する請求項１又は２に記載の表示装置。
【請求項４】
前記表示制御部は、前記座標検出部により検出された前記座標の位置に表示されている画像を拡大して表示する請求項１から３の何れか一項に記載の表示装置。
【請求項５】
原稿の画像を読み取る原稿読取部を更に備え、
前記表示制御部は、更に、前記原稿読取部によって読み取られた前記原稿の画像を前記表示領域に表示するプレビュー処理を実行し、前記プレビュー処理の実行によって表示されている前記原稿の画像のうち、前記座標検出部により検出された前記座標の位置に表示されている部分を、前記距離検出部により検出された前記空間距離に応じた拡大率で拡大して表示する請求項１から４の何れか一項に記載の表示装置。
【請求項６】
前記閾値距離は、階層が下位になるほど短くなるように前記選択肢画像を構成する各画像の階層にそれぞれ対応付けられ、
前記選択肢画像を構成する各画像の階層のうち最下位の階層とは異なる階層のそれぞれには、前記異なる階層よりも一つ下位の階層に対応付けられた前記閾値距離よりも長く、且つ、前記異なる階層に対応付けられた前記閾値距離よりも短い副閾値距離が対応付けられ、
前記表示制御部は、前記複数階層表示処理において、前記被指定画像が前記最下位の階層とは異なる階層のうちのある一の階層の画像である場合に、前記距離検出部により検出された前記空間距離が前記一の階層に対応付けられた前記副閾値距離以上である間、前記一の階層と同じ階層の画像であって前記被指定画像とは異なる指定外画像を透過した状態で前記表示領域に表示し、前記距離検出部により検出された前記空間距離が前記一の階層に対応付けられた前記副閾値距離より短くなると、前記指定外画像を非表示にする透過表示処理を更に実行する請求項１から５の何れか一項に記載の表示装置。
【請求項７】
前記表示制御部によって前記透過表示処理を実行させるか否かの選択をユーザーから受け付ける透過可否受付部を更に備える請求項６に記載の表示装置。
【請求項８】
請求項１から７の何れか一項に記載の表示装置を備えた電子機器。
【請求項９】
請求項１から７の何れか一項に記載の表示装置を備えた画像形成装置。
【発明の詳細な説明】
【技術分野】
【０００１】
本発明は、表示装置、電子機器、及び画像形成装置に関し、特に、階層的に対応付けられた選択肢画像を選択させる技術に関する。
【背景技術】
【０００２】
従来から、タッチパネル機能を有する表示部を備えた電子機器において、タッチ操作に用いる指やペン等の指示体と表示部との距離に応じて、表示部の表示状態を変化させる技術が知られている。
【０００３】
例えば下記特許文献１には、表示パネルと指等の対象物（指示体）との距離に応じて対象物の位置の検知分解能を調整し、検知された対象物の位置と対象物の動きや軌跡に基づいて表示パネルの表示状態を変化させる技術が記載されている。
【０００４】
また、例えば下記特許文献２には、タッチパネル上に複数のタッチボタンが表示された状態で指を近づけると、指の位置に対応するタッチパネル上の座標を検知して、当該検知した座標の位置に存在するタッチボタンを拡大表示し、当該拡大表示されたタッチボタンがユーザーによってタッチされると、当該タッチボタンに対応付けられた処理を実行する技術が記載されている。
【先行技術文献】
【特許文献】
【０００５】
【特許文献１】特開２００８−１１７３７１号公報
【特許文献２】特開２０１０−９２２１９号公報
【発明の概要】
【発明が解決しようとする課題】
【０００６】
しかし、上記特許文献１及び２には、ユーザーによって選択される選択肢画像（タッチボタン）が、階層別に対応付けられた画像によって構成されていることは何ら開示されていない。このため、上記特許文献１及び２では、選択肢画像が階層的に対応付けられた画像によって構成されている場合、従来から知られているように、ユーザーが選択肢画像を選択したときには、当該選択した選択肢画像に対応付けられた処理として、当該選択した選択肢画像と同階層の画像を非表示にし、当該選択した選択肢画像に対応する一つ下位の階層の選択肢画像を表示する処理が実行されると考えられる。そして、当該表示された一つ下位の階層の選択肢画像をユーザーに選択させるべく、再び、指等の指示体と表示領域との間の空間距離に応じて、当該表示された一つ下位の階層の選択肢画像を拡大表示させる等の処理が実行されると考えられる。
【０００７】
つまり、上記特許文献１及び２に記載の技術では、選択肢画像が階層的に対応付けされた画像で構成されている場合に、表示されている選択肢画像と当該選択肢画像に対応付けられた下位の階層の選択肢画像とを同時に視認することができない虞があった。このため、ユーザーは、下位の階層の選択肢画像が表示されたことによって、上位の階層の選択肢画像を誤って選択していることに気付いた場合には、当該上位の階層の選択肢画像を表示し直すための操作を行った後、表示されている上位の階層の選択肢画像を選択する操作を行う手間が必要であった。
【０００８】
このように、上記特許文献１及び２に記載の技術では、選択肢画像が階層的に対応付けされた画像で構成されている場合に、ユーザーは、選択肢画像を当該階層的な対応付けに従って順次選択することを効率よく行えない虞があった。
【０００９】
本発明は、上記の問題を解決するためになされたものであり、ユーザーが階層的に対応付けされた画像で構成された選択肢画像を選択するときの操作性を向上することができる表示装置、電子機器、及び画像形成装置を提供することを目的とする。
【課題を解決するための手段】
【００１０】
本発明による表示装置は、ユーザーが指示体を用いて選択する選択肢画像を表示するための表示領域を有する表示部と、前記選択肢画像が階層的に対応付けられた画像によって構成されている場合に、前記選択肢画像を構成する各画像を、前記階層的な対応付けに従って順次前記表示領域に表示する表示制御部と、前記指示体と前記表示領域との間の空間距離を検出する距離検出部と、前記指示体の位置に対応する、前記表示領域における座標を検出する座標検出部と、を備え、前記表示制御部は、前記距離検出部により検出された前記空間距離が予め定められた閾値距離よりも短くなると、前記座標検出部により検出された前記座標の位置に表示されている画像である被指定画像とともに、前記被指定画像に対応付けられた一つ下位の階層の画像である関連画像を前記表示領域に表示する複数階層表示処理を実行する。
【００１１】
本構成によれば、距離検出部により検出された空間距離が閾値距離よりも短くなると、被指定画像とともに被指定画像に対応付けられた一つ下位の階層の画像である関連画像が表示される。このため、ユーザーは、被指定画像に指示体を近づけた時点で、被指定画像と関連画像とを同時に視認して、被指定画像を選択する前に被指定画像に対応付けられた一つ下位の階層の画像の内容を把握することができる。
【００１２】
その結果、ユーザーが、誤って上位の階層の画像を選択した後、当該誤って選択した画像に対応付けられた一つ下位の階層の画像が表示されたときになってはじめて、誤った画像を選択したことに気付き、再び上位の階層の画像を表示させて画像を選択し直す手間をかける虞が軽減される。このように、本構成によれば、ユーザーが階層的に対応付けされた画像で構成された選択肢画像を選択するときの操作性を向上することができる。
【００１３】
また、前記閾値距離は、階層が下位になるほど短くなるように前記選択肢画像を構成する各画像の階層にそれぞれ対応付けられ、前記表示制御部により、前記選択肢画像のうち最下位の階層の画像が前記表示領域に表示されており、且つ、前記座標検出部により検出された座標の位置に前記最下位の階層の画像が表示されている場合に、前記距離検出部により検出された前記空間距離が、前記最下位の階層に対応付けられた前記閾値距離よりも短くなると、前記座標検出部により検出された座標の位置に表示されている前記最下位の階層の画像の選択を受け付ける選択受付部を更に備えることが好ましい。
【００１４】
この構成によれば、選択肢画像のうち最下位の階層の画像が表示領域に表示されており、且つ、座標検出部により検出された座標の位置に当該最下位の階層の画像が表示されている場合に、距離検出部により検出された空間距離が、当該最下位の階層に対応付けられた閾値距離よりも短くなると、座標検出部により検出された座標の位置に表示されている最下位の階層の画像の選択が受け付けられる。
【００１５】
このため、ユーザーは、距離検出部により検出された空間距離が、表示領域に表示されている選択肢画像のうち最下位の階層の画像の階層に対応付けられた閾値距離よりも短くなるように、最下位の階層の画像に指示体を近づけた時点で、当該最下位の階層の画像の選択を画像形成装置に受け付けさせることができる。
【００１６】
その結果、例えば、複数階層表示処理の実行により表示された関連画像が選択肢画像を構成する画像のうち最下位の階層の画像である場合には、当該関連画像と、当該複数階層表示処理の実行時における被指定画像である、当該関連画像に対応付けられた一つ上位の階層の画像とを同時に視認して、当該被指定画像の選択を画像形成装置に受け付けさせる手間をかけることなく、迅速に意図した関連画像の選択を画像形成装置に受け付けさせることができる。
【００１７】
また、前記閾値距離は、階層が下位になるほど短くなるように前記選択肢画像を構成する各画像の階層にそれぞれ対応付けられ、前記表示制御部は、前記距離検出部により検出された前記空間距離が、前記複数階層表示処理の実行により表示された前記関連画像の階層の一つ上位の階層に対応付けられた前記閾値距離以上になると、当該関連画像を非表示にして、前記選択肢画像を構成する画像のうち、当該関連画像の階層の一つ上位の階層の全ての画像を前記表示領域に表示することが好ましい。
【００１８】
この構成によれば、距離検出部により検出された空間距離が、複数階層表示処理の実行により表示された関連画像の一つ上位の階層に対応付けられた閾値距離以上になると、表示制御部により、当該関連画像が非表示にされる。更に、表示制御部により、選択肢画像を構成する画像のうち、当該関連画像の階層の一つ上位の階層の全ての画像が表示領域に表示される。
【００１９】
このため、ユーザーは、意図しない誤った画像を選択しようとして、当該誤った画像に指示体を近づけた時点で、複数階層表示処理の実行によって表示された、当該画像に対応付けられた一つ下位の階層の画像を視認して、誤った画像を選択しようとしていることに気付くことができる。この場合、ユーザーは、指示体を表示領域から遠ざけるという容易な操作を行うことによって、表示制御部により、選択肢画像を構成する画像のうち、当該誤った画像と同階層の全ての画像を表示させることができる。その結果、ユーザーは、再び上位の画像から選択し直すことができる。このように、本構成によれば、ユーザーが選択肢画像を選択し直すときの操作性を向上することができる。
【００２０】
また、前記表示制御部は、前記座標検出部により検出された前記座標の位置に表示されている画像を拡大して表示することが好ましい。
【００２１】
この構成によれば、座標検出部により検出された座標の位置に表示されている画像が拡大して表示されるので、ユーザーは選択しようとする画像の内容を把握し易くなる。
【００２２】
また、原稿の画像を読み取る原稿読取部を更に備え、前記表示制御部は、更に、前記原稿読取部によって読み取られた前記原稿の画像を前記表示領域に表示するプレビュー処理を実行し、前記プレビュー処理の実行によって表示されている前記原稿の画像のうち、前記座標検出部により検出された前記座標の位置に表示されている部分を、前記距離検出部により検出された前記空間距離に応じた拡大率で拡大して表示することが好ましい。
【００２３】
この構成によれば、原稿読取部によって読み取られた原稿の画像のうち、座標検出部により検出された座標の位置に表示されている部分が、指示体と表示領域との間の空間距離に応じた拡大率で拡大して表示される。このため、ユーザーは、指示体を表示領域に近づけたり、遠ざけたりするという簡易な操作で、座標検出部により検出された座標の位置に表示されている部分の拡大率を変化させて、当該原稿の画像の内容を的確に把握することができる。
【００２４】
また、前記閾値距離は、階層が下位になるほど短くなるように前記選択肢画像を構成する各画像の階層にそれぞれ対応付けられ、前記選択肢画像を構成する各画像の階層のうち最下位の階層とは異なる階層のそれぞれには、前記異なる階層よりも一つ下位の階層に対応付けられた前記閾値距離よりも長く、且つ、前記異なる階層に対応付けられた前記閾値距離よりも短い副閾値距離が対応付けられ、前記表示制御部は、前記複数階層表示処理において、前記被指定画像が前記最下位の階層とは異なる階層のうちのある一の階層の画像である場合に、前記距離検出部により検出された前記空間距離が前記一の階層に対応付けられた前記副閾値距離以上である間、前記一の階層と同じ階層の画像であって前記被指定画像とは異なる指定外画像を透過した状態で前記表示領域に表示し、前記距離検出部により検出された前記空間距離が前記一の階層に対応付けられた前記副閾値距離より短くなると、前記指定外画像を非表示にする透過表示処理を更に実行することが好ましい。
【００２５】
この構成によれば、複数階層表示処理において、被指定画像が選択肢画像を構成する各画像の階層のうち最下位の階層とは異なる階層のうちのある一の階層の画像である場合に、距離検出部により検出された空間距離が前記一の階層に対応付けられた副閾値距離以上である間は、前記一の階層と同じ階層の画像であって被指定画像とは異なる指定外画像が透過した状態で表示領域に表示され、距離検出部により検出された空間距離が前記一の階層に対応付けられた副閾値距離より短くなると、指定外画像が非表示にされる。
【００２６】
このため、ユーザーは、被指定画像に指示体を近づけた場合に、複数階層表示処理が実行されることによって表示された被指定画像及び関連画像だけでなく、複数階層表示処理が実行された当初に指示体を更に被指定画像に近づけたときに透過した状態で表示された指定外画像も同時に視認することができる。これによって、ユーザーは、被指定画像及び当該被指定画像に対応付けられた関連画像を誤って選択していないかどうかを判断し易くなる。
【００２７】
また、前記表示制御部によって前記透過表示処理を実行させるか否かの選択をユーザーから受け付ける透過可否受付部を更に備えることが好ましい。
【００２８】
この構成によれば、ユーザーは、表示制御部によって透過表示処理を実行させるか否かを選択することができる。このため、ユーザーは、透過表示処理が実行されることによって指定外画像が透過した状態で表示されることにより、表示領域の表示内容が煩雑で視認しにくいと感じた場合に、表示制御部によって透過表示処理を実行させないことを選択する等して、表示領域の表示内容を適宜切り替えることができる。
【００２９】
また、本発明に係る電子機器は、前記表示装置を備える。
【００３０】
また、本発明に係る画像形成装置は、前記表示装置を備える。
【発明の効果】
【００３１】
この発明によれば、ユーザーが階層的に対応付けされた画像で構成された選択肢画像を選択するときの操作性を向上することができる表示装置、電子機器、及び画像形成装置を提供することができる。
【図面の簡単な説明】
【００３２】
【図１】本発明に係る画像形成装置の一例である複合機の概略構造図である。
【図２】操作部の一例を示す説明図である。
【図３】複合機の電気的構成の一例を示すブロック図である。
【図４】選択肢画像の構成の一例を示す説明図である。
【図５】選択肢画像を構成する各画像の階層と閾値距離との関係の一例を示す説明図である。
【図６】複数階層表示処理が実行されたときの表示領域の表示内容の変化の一例を示す説明図である。
【図７】ユーザーが指を遠ざけたときの表示領域の表示内容の変化の一例を示す説明図である。
【図８】座標検出部により検出された座標が変化したときの表示領域の表示内容の変化の一例を示す説明図である。
【図９】表示制御部によってプレビュー処理が実行された後、座標検出部により検出された座標が変化したときの表示領域の表示内容の変化の一例を示す説明図である。
【図１０】複数階層表示処理及び透過表示処理が実行されたときの表示領域の表示内容の変化の一例を示す説明図である。
【発明を実施するための形態】
【００３３】
（第１実施形態）
以下、本発明に係る表示装置、これを備えた画像形成装置について説明する。尚、本実施形態では、画像形成装置として複合機を例に説明するが、これに限定する趣旨ではなく、画像形成装置は、例えば、複写機、プリンター装置、又はファクシミリ装置等であってもよい。図１は、本発明に係る画像形成装置の一例である複合機１の概略構造図である。図２は、操作部７の一例を示す説明図である。図３は、複合機１の電気的構成の一例を示すブロック図である。
【００３４】
図１に示すように、複合機１は、原稿読取部５と、原稿給送部６と、本体部８と、操作部７と、を備えている。
【００３５】
原稿読取部５は、本体部８の上部に配設されている。原稿読取部５は、露光ランプ及びＣＣＤ（Charge Coupled Device）等からなるスキャナー部５１と、ガラス等の透明部材により構成された原稿台５２及び原稿読取スリット５３と、を備えている。
【００３６】
スキャナー部５１は、図略の駆動部によって移動可能に構成され、原稿台５２に載置された原稿を読み取るときは、原稿台５２に対向する位置で原稿面に沿って移動され、原稿画像を走査しつつ取得した画像データを後述の制御部１０へ出力する。また、原稿給送部６により給送された原稿を読み取るときは、原稿読取スリット５３と対向する位置に移動され、原稿読取スリット５３を介して原稿給送部６による原稿の搬送動作と同期して原稿の画像を取得し、その画像データを後述の制御部１０へ出力する。
【００３７】
原稿給送部６は、原稿読取部５の上方に配設されている。原稿給送部６は、原稿を載置するための原稿載置部６１と、画像読み取り済みの原稿を排出するための原稿排出部６２と、原稿載置部６１に載置された原稿を１枚ずつ繰り出して原稿読取スリット５３に対向する位置へ搬送し、原稿排出部６２へ排出する原稿搬送機構６３と、を備えている。
【００３８】
本体部８は、複数の給紙カセット４６１と、給紙カセット４６１又は手差しトレイ４６２から用紙を１枚ずつ繰り出して画像形成部４へ搬送する給紙ローラー４１２と、搬出されてきた用紙に画像を形成する画像形成部４と、画像が形成された用紙が排出されるスタックトレイ４７及び排出トレイ４８と、を備えている。
【００３９】
画像形成部４は、用紙搬送部４１と、光走査装置４２と、感光体ドラム４３と、現像部４４と、転写部４５と、定着部４６と、を備えている。
【００４０】
用紙搬送部４１は、画像形成部４内の用紙搬送路中に設けられ、給紙ローラー４１２によって搬送されてきた用紙を感光体ドラム４３に供給する搬送ローラー４１３や、用紙をスタックトレイ４７まで搬送する搬送ローラー４１４や、用紙を排出トレイ４８まで搬送する搬送ローラー４１５等を備えている。
【００４１】
光走査装置４２は、制御部１０に入力された画像データに基づいてレーザー光を出力する。光走査装置４２は、このレーザー光によって感光体ドラム４３を走査することで、感光体ドラム４３上に静電潜像を形成する。
【００４２】
現像部４４は、感光体ドラム４３上の静電潜像にトナーを付着させてトナー像を形成する。転写部４５は、感光体ドラム４３上のトナー像を用紙に転写する。定着部４６は、トナー像が転写された用紙を加熱してトナー像を用紙に定着させる。
【００４３】
操作部７は、複合機１の正面部に設けられ、ユーザーによる種々の操作指示を入力可能に構成されている。図２に示すように、操作部７には、タッチパネル装置７１、インジケーター７２ａ〜７２ｆ、入力キー７３ａ〜７３ｄ、スイッチ７４ａ〜７４ｍ、スタートキー７５、ストップキー７６、及びリセットキー７７が設けられている。
【００４４】
タッチパネル装置７１は、情報を表示するための表示領域Ｐを有する液晶ディスプレイ８１（表示部）を備えている。また、タッチパネル装置７１は、静電容量方式のタッチパネル機能を有している。タッチパネル装置７１は、このタッチパネル機能によって、ユーザーが指やペン等の指示体を表示領域Ｐ上で移動させたときに生じる表示領域Ｐ上の静電容量の変化に基づいて、指示体と表示領域Ｐとの間の空間距離を検出する距離検出部８２（図３）、及び、指示体の位置に対応する、表示領域Ｐにおける座標を検出する座標検出部８３（図３）として動作する。尚、タッチパネル装置７１は、静電容量方式に限らず、例えば、超音波方式や光学方式のタッチパネル機能を有していてもよい。
【００４５】
インジケーター７２ａ〜７２ｆは、発光ダイオードなどからなり、点滅或いは点灯／消灯することによって、複合機１の状態を示す。入力キー７３ａ〜７３ｄは、数字や記号を入力したり、入力済みの文字列を消去又は確定するために設けられている。
【００４６】
スイッチ７４ａ〜７４ｍは、複合機１で実行可能な各機能を切り替えるスイッチである。例えば、代表的なものとして、スイッチ７４ｊは、スキャナー部５１で読み取られた画像データを用いて印刷するコピー機能に切り替えて、コピー機能に関わる設定内容をユーザーに設定操作させるためのウィンドウを、液晶ディスプレイ８１の表示領域Ｐに表示するスイッチである。
【００４７】
スタートキー７５は、各種機能の動作を開始するために設けられている。ストップキー７６は、各種機能の動作を停止するために設けられている。リセットキー７７は、各種機能の設定内容を初期状態に戻すために設けられている。
【００４８】
また、図３に示すように、原稿読取部５、原稿給送部６、画像形成部４、操作部７、後述の通信部９、及び後述の制御部１０等の各部は、相互に通信可能なように接続されている。
【００４９】
通信部９は、電話回線に接続され、電話回線に接続されたファクシミリ装置との間でファクシミリ通信を行う。例えば、通信部９は、電話回線を介して、原稿読取部５によって読み取られた画像データを他のファクシミリ装置へ送信したり、他のファクシミリ装置から送信されてきた画像データを受信する。また、通信部９は、ＬＡＮ（Ｌｏｃａｌ  Ａｒｅａ  Ｎｅｔｗｏｒｋ）等のネットワークに接続され、ネットワークに接続されたパソコン等の外部装置との間でデータ通信を実行する。例えば、通信部９は、ネットワークを介して、原稿読取部５によって読み取られた画像データを外部装置へ送信したり、外部装置から送信されてきた画像データを受信する。
【００５０】
制御部１０は、例えば、所定の演算処理を実行するＣＰＵ（Ｃｅｎｔｒａｌ  Ｐｒｏｃｅｓｓｉｎｇ  Ｕｎｉｔ）、所定の制御プログラムが記憶されたＲＯＭ（Ｒｅａｄ  Ｏｎｌｙ  Ｍｅｍｏｒｙ）やデータを一時的に記憶するＲＡＭ（Ｒａｎｄｏｍ  Ａｃｃｅｓｓ  Ｍｅｍｏｒｙ）等のメモリー、画像データ等の各種データを記憶するＨＤＤ（Ｈａｒｄ  Ｄｉｓｋ  Ｄｒｉｖｅ）等の記憶媒体、及び、これらの周辺回路等を備えている。制御部１０は、ＲＯＭ等に記憶された制御プログラムをＣＰＵによって実行することによって各種処理を実行し、複合機１内の各部の動作を制御する。
【００５１】
制御部１０は、ユーザーに設定操作を行わせる制御に関して、特に、記憶部１１、表示制御部１２、及び選択受付部１３として機能する。
【００５２】
記憶部１１は、例えばＲＯＭによって構成されている。記憶部１１には、ユーザーに設定操作を行わせるときに、ユーザーに選択させる画像として表示領域Ｐに表示される選択肢画像が記憶されている。選択肢画像は、階層的に対応付けられた画像によって構成されている。
【００５３】
図４は、選択肢画像の構成の一例を示す説明図である。例えば、図４に示すように、記憶部１１には、コピー機能に関わる選択肢画像Ｄ１〜Ｄ３が記憶されている。
【００５４】
選択肢画像Ｄ１は、コピー機能を実行するときに用いる用紙をユーザーに選択させるために表示領域Ｐに表示される画像によって構成されている。選択肢画像Ｄ１は、２階層に対応付けられた画像によって構成されている。
【００５５】
具体的には、選択肢画像Ｄ１は、「用紙選択」を示す画像Ｔ１を第１階層とし、画像Ｔ１に対応付けられた、「カセット１」を示す画像Ｔ１１、「カセット２」を示す画像Ｔ１２、「カセット３」を示す画像Ｔ１３及び「カセット４」を示す画像Ｔ１４を第２階層とするように構成されている。
【００５６】
つまり、選択肢画像Ｄ１は、第１階層の画像Ｔ１が表示領域Ｐに表示された後、ユーザーによって画像Ｔ１が選択されると、画像Ｔ１に対応付けられた画像Ｔ１１〜Ｔ１４が表示されるように構成されている。このため、ユーザーは、表示領域Ｐに表示された第１階層の画像Ｔ１を選択後、当該選択した画像Ｔ１に対応付けられた最下位の第２階層の画像Ｔ１１〜Ｔ１４の中から所望の画像を選択する操作を行うことによって、当該選択した画像に対応する給紙カセット４６１又は手差しトレイ４６２に収容されている用紙を、コピー機能を実行するときに用いる用紙として選択することができる。
【００５７】
選択肢画像Ｄ２は、コピー機能の実行によって画像が印刷された用紙に対するオプション処理をユーザーに選択させるために表示領域Ｐに表示される画像によって構成されている。選択肢画像Ｄ２は、３階層に対応付けられた画像によって構成されている。
【００５８】
具体的には、選択肢画像Ｄ２は、「オプション」を示す画像Ｔ２を第１階層とし、画像Ｔ２に対応付けられた、「ソート」を示す画像Ｔ２１、「仕分け」を示す画像Ｔ２２、及び「ステープル」を示す画像Ｔ２３を第２階層とするように構成されている。更に、選択肢画像Ｄ２は、第２階層の「ソート」を示す画像Ｔ２１に対応付けれられた、「設定する」を示す画像Ｔ２１１及び「設定しない」を示す画像Ｔ２１２を第３階層とし、第２階層の「仕分け」を示す画像Ｔ２２に対応付けれられた、「設定する」を示す画像Ｔ２２１及び「設定しない」を示す画像Ｔ２２２を第３階層とし、第２階層の「ステープル」を示す画像Ｔ２３に対応付けれられた、「設定しない」を示す画像Ｔ２３１、「右上」を示す画像Ｔ２３２、及び「左上」を示す画像Ｔ２３３、を第３階層とするように構成されている。
【００５９】
つまり、選択肢画像Ｄ２は、第２階層の画像Ｔ２が表示領域Ｐに表示された後、ユーザーによって画像Ｔ２が選択されると、画像Ｔ２に対応付けられた画像Ｔ２１〜Ｔ２３が表示されるように構成されている。更に、選択肢画像Ｄ２は、表示領域Ｐに表示された画像Ｔ２に対応付けられた画像Ｔ２１〜Ｔ２３のうち、ユーザーによって画像Ｔ２１が選択されると、画像Ｔ２１に対応付けられた画像Ｔ２１１、Ｔ２１２が表示されるように構成されている。同様に、選択肢画像Ｄ２は、ユーザーによって画像Ｔ２２が選択されると、画像Ｔ２２に対応付けられた画像Ｔ２２１、Ｔ２２２が表示され、ユーザーによって画像Ｔ２３が選択されると、画像Ｔ２３に対応付けられた画像Ｔ２３１〜Ｔ２３３が表示されるように構成されている。
【００６０】
このため、ユーザーは、表示領域Ｐに表示された第１階層の画像Ｔ２を選択後、当該選択した画像Ｔ２に対応付けられた第２階層の画像Ｔ２１〜Ｔ２３の中から、所望の画像を選択する操作を行うことによって、当該選択した画像に対応するオプション機能（ソート機能、仕分け機能、ステープル機能）を選択し、当該選択した画像に対応付けられた最下位の第３階層の画像Ｔ２１１、Ｔ２１２、Ｔ２２１、Ｔ２２２、Ｔ２３１〜Ｔ２３３を選択することによって、当該選択した第３階層の画像に対応付けられたオプション機能（ソート機能、仕分け機能、ステープル機能）の詳細な設定（設定する、設定しない、右上、左上）を選択することができる。
【００６１】
選択肢画像Ｄ３は、プレビュー処理の実行指示をユーザーに選択させるために、表示領域Ｐに表示される画像によって構成されている。プレビュー処理とは、コピー機能によって用紙に形成する対象の原稿の画像を原稿読取部５によって読み取らせ、当該読み取られた原稿の画像を表示領域Ｐに表示する処理である。選択肢画像Ｄ３は、「プレビュー」を示す画像Ｔ３を第１階層とする１階層の画像によって構成されている。
【００６２】
このため、ユーザーは、表示領域Ｐに表示された最下位の第１階層の画像Ｔ３を選択することによって、当該選択した画像Ｔ３に対応付けられたプレビュー処理の実行指示を選択することができる。
【００６３】
尚、記憶部１１には、これに限らず、コピー機能を実行するときのその他の実行条件をユーザーに選択させるための選択肢画像や、複合機１が有する他の機能を実行するときの実行条件をユーザーに選択させるための選択肢画像が記憶されている。
【００６４】
表示制御部１２は、記憶部１１に記憶されている選択肢画像Ｄ１〜Ｄ３を構成する階層的に対応付けられた各画像を、当該階層的な対応付けに従って順次表示領域Ｐに表示する。尚、表示制御部１２による各画像を表示領域Ｐに表示する動作の詳細については後述する。
【００６５】
選択受付部１３は、選択肢画像Ｄ１〜Ｄ３を構成する画像のうち、最下位の階層の画像が表示領域Ｐに表示されている場合に、ユーザーによる当該最下位の階層の画像の選択を受け付ける。尚、選択受付部１３による最下位の階層の画像の選択を受け付ける動作の詳細については後述する。
【００６６】
以下、図５乃至図１０を用いて、表示制御部１２による各画像を表示領域Ｐに表示する動作の詳細、及び、選択受付部１３による最下位の階層の画像の選択を受け付ける動作の詳細について説明する。尚、以下の説明では、具体例として、図４に示す、記憶部１１に記憶されている選択肢画像Ｄ１〜Ｄ３を構成する各画像が表示領域Ｐに表示されるものとする。
【００６７】
先ず、表示制御部１２が各画像を表示領域Ｐに表示するときに用いられ、また、選択受付部１３が最下位の階層の画像の選択を受け付けるときに用いられる閾値距離について説明する。
【００６８】
図５は、選択肢画像を構成する各画像の階層と閾値距離との関係の一例を示す説明図である。図５の左部のグラフは、表示領域Ｐ上の静電容量の変化の大きさと、ユーザーが画像の選択のために用いる指やペン等の指示体と表示領域Ｐとの間の空間距離Ｚと、の関係を示している。当該関係は、試験運転等の実験値に基づいて予め定められ、タッチパネル装置７１内の不図示のＲＯＭ等に記憶されている。
【００６９】
座標検出部８３（図３）は、ユーザーが指示体を移動させたときに、静電容量の変化が検出された表示領域Ｐ上の座標の位置を検出し、検出した座標の位置を示す検出信号を制御部１０に出力する。
【００７０】
距離検出部８２（図３）は、座標検出部８３によって検出された表示領域Ｐ上の座標の位置で変化した静電容量の変化の大きさを検出する。そして、距離検出部８２は、上記グラフを用いて、当該検出した静電容量の変化の大きさを空間距離Ｚに変換し、空間距離Ｚを示す検出信号を制御部１０に出力する。
【００７１】
また、図５の右部に示すように、表示領域Ｐに表示される選択肢画像Ｄ１〜Ｄ３を構成する各画像の階層にそれぞれ対応付けて閾値距離Ｚ１、Ｚ２、Ｚ３が予め定められ、制御部１０のＲＯＭ等に記憶されている。
【００７２】
例えば、選択肢画像Ｄ１〜Ｄ３を構成する画像Ｔ１、Ｔ２、Ｔ３の階層である第１階層に対応付けて、静電容量の変化が見られる当初の空間距離Ｚが閾値距離Ｚ１として定められている。また、選択肢画像Ｄ１、Ｄ２を構成する画像Ｔ１１〜Ｔ１４、Ｔ２１〜Ｔ２３の階層である第２階層に対応付けて、閾値距離Ｚ１よりも短い空間距離Ｚが閾値距離Ｚ２として定められている。また、選択肢画像Ｄ１を構成する画像Ｔ２１１、Ｔ２１２、Ｔ２２１、Ｔ２２２、Ｔ２３１〜Ｔ２３３の階層である第３階層に対応付けて、閾値距離Ｚ２よりも短い空間距離Ｚが閾値距離Ｚ３として定められている。
【００７３】
更に、選択肢画像Ｄ１〜Ｄ３を構成する各画像の階層のうち、最下位の階層とは異なる階層にそれぞれ対応付けて、当該最下位の階層とは異なる階層よりも一つ下位の階層に対応付けられた閾値距離よりも長く、且つ、当該最下位の階層とは異なる階層に対応付けられた閾値距離よりも短い副閾値距離Ｚ１ａ、Ｚ２ａが予め定められ、制御部１０のＲＯＭ等に記憶されている。
【００７４】
具体的には、選択肢画像Ｄ１を構成する各画像の階層のうち、最下位の第２階層とは異なる第１階層に対応付けて、第１階層よりも一つ下位の第２階層に対応付けられた閾値距離Ｚ２よりも長く、且つ、第１階層に対応付けられた閾値距離Ｚ１よりも短い空間距離Ｚが副閾値距離Ｚ１ａとして定められている。
【００７５】
また、選択肢画像Ｄ２を構成する各画像の階層のうち、最下位の第３階層とは異なる第１階層に対応付けて、第１階層よりも一つ下位の第２階層に対応付けられた閾値距離Ｚ２よりも長く、且つ、第１階層に対応付けられた閾値距離Ｚ１よりも短い空間距離Ｚが副閾値距離Ｚ１ａとして定められている。
【００７６】
更に、選択肢画像Ｄ２を構成する各画像の階層のうち、最下位の第３階層とは異なる第２階層に対応付けて、第２階層よりも一つ下位の第３階層に対応付けられた閾値距離Ｚ３よりも長く、且つ、第２階層に対応付けられた閾値距離Ｚ２よりも短い空間距離Ｚが副閾値距離Ｚ２ａとして定められている。
【００７７】
表示制御部１２は、距離検出部８２によって検出される空間距離Ｚと、閾値距離Ｚ１〜Ｚ３及び副閾値距離Ｚ１ａ、Ｚ２ａとの比較結果に基づいて、選択肢画像Ｄ１〜Ｄ３を構成する各画像を順次表示領域Ｐに表示する。
【００７８】
具体的には、表示制御部１２は、先ず、選択肢画像Ｄ１〜Ｄ３のうち、最上位の第１階層の画像Ｔ１、Ｔ２、Ｔ３を表示領域Ｐに表示する。そして、表示制御部１２は、距離検出部８２により検出された空間距離Ｚが閾値距離Ｚ１〜Ｚ３よりも短くなると、複数階層表示処理を実行する。複数階層表示処理とは、座標検出部８３（図３）により検出された座標の位置に表示されている画像である被指定画像とともに、被指定画像に対応付けられた一つ下位の階層の画像である関連画像を表示領域Ｐに表示する処理である。
【００７９】
また、表示制御部１２は、複数階層表示処理において、更に、被指定画像の階層と同じ階層の画像であって被指定画像とは異なる指定外画像を非表示にする上位階層非表示処理を実行する。
【００８０】
選択受付部１３は、選択肢画像Ｄ１〜Ｄ３のうち最下位の階層の画像が表示領域Ｐに表示されており、且つ、座標検出部８３により検出された座標の位置に最下位の階層の画像が表示されている場合に、距離検出部８２により検出された空間距離Ｚが、当該最下位の階層に対応付けられた閾値距離よりも短くなると、座標検出部８３により検出された座標の位置に表示されている最下位の階層の画像の選択を受け付ける。
【００８１】
図６は、複数階層表示処理が実行されたときの表示領域Ｐの表示内容の変化の一例を示す説明図である。例えば、表示制御部１２は、図６に示すように、先ず、選択肢画像Ｄ１〜Ｄ３のうち、最上位の第１階層の画像Ｔ１、Ｔ２、Ｔ３を表示領域Ｐに表示する（図６
におけるＺ≧Ｚ１の場合）。
【００８２】
そして、ユーザーが指示体を画像Ｔ１に近づけたことにより、距離検出部８２により検出された空間距離Ｚが第１階層に対応付けされた閾値距離Ｚ１よりも短くなると、表示制御部１２は、複数階層表示処理を実行する。
【００８３】
表示制御部１２は、当該複数階層表示処理において、座標検出部８３により検出された座標の位置に表示されている画像Ｔ１とともに、画像Ｔ１に対応付けられた一つ下位の第２階層の画像Ｔ１１〜Ｔ１４（図４）を表示領域Ｐに表示する。つまり、この場合、画像Ｔ１が被指定画像に相当し、画像Ｔ１１〜Ｔ１４が関連画像に相当する。表示制御部１２は、当該複数階層表示処理において、更に、上位階層非表示処理を実行し、被指定画像としての画像Ｔ１の階層と同じ第１階層の画像であって、被指定画像とは異なる指定外画像である画像Ｔ２、Ｔ３を非表示にする（図６におけるＺ２≦Ｚ＜Ｚ１の場合）。
【００８４】
つまり、当該複数階層表示処理の実行により表示された関連画像としての画像Ｔ１１〜Ｔ１４は、選択肢画像Ｄ１のうち最下位の階層の画像になっている。そして、ユーザーが更に指示体を画像Ｔ１３に近づけることによって、座標検出部８３により検出された座標の位置に画像Ｔ１３が表示されている状態となり、距離検出部８２により検出された空間距離Ｚが画像Ｔ１３の階層である第２階層に対応付けられた閾値距離Ｚ２よりも短くなったとする。このとき、選択受付部１３は、座標検出部８３により検出された座標の位置に表示されている画像Ｔ１３の選択を受け付ける（図６におけるＺ＜Ｚ２の場合）。
【００８５】
つまり、第１実施形態の構成によれば、距離検出部８２により検出された空間距離Ｚが閾値距離Ｚ１よりも短くなると、被指定画像Ｔ１とともに被指定画像Ｔ１に対応付けられた一つ下位の階層の画像である関連画像Ｔ１１〜Ｔ１４が表示される。このため、ユーザーは、被指定画像Ｔ１に指示体を近づけた時点で、被指定画像Ｔ１と関連画像Ｔ１１〜Ｔ１４とを同時に視認して、被指定画像Ｔ１を選択する前に被指定画像Ｔ１に対応付けられた一つ下位の階層の画像Ｔ１１〜Ｔ１４の内容を把握することができる。
【００８６】
その結果、ユーザーが、誤って上位の第１階層の画像を選択した後、当該誤って選択した画像に対応付けられた一つ下位の第２階層の画像が表示されたときになってはじめて、誤った画像を選択したことに気付き、再び上位の第１階層の画像を表示させて画像を選択し直す手間をかける虞が軽減される。このように、第１実施形態の構成によれば、ユーザーが階層的に対応付けされた画像で構成された選択肢画像Ｄ１を選択するときの操作性を向上することができる。
【００８７】
また、第１実施形態の構成によれば、選択肢画像Ｄ１のうち最下位の階層である第２階層の画像Ｔ１１〜Ｔ１４が表示領域Ｐに表示されており、且つ、座標検出部８３により検出された座標の位置に画像Ｔ１３が表示されている場合に、距離検出部８２により検出された空間距離Ｚが、第２階層に対応付けられた閾値距離Ｚ２よりも短くなると、座標検出部８３により検出された座標の位置に表示されている画像Ｔ１３の選択が受け付けられる。
【００８８】
このため、ユーザーは、距離検出部８２により検出された空間距離Ｚが、表示領域Ｐに表示されている選択肢画像Ｄ１のうち最下位の階層である第２階層に対応付けられた閾値距離Ｚ２よりも短くなるように、当該最下位の階層の画像Ｔ１３に指示体を近づけた時点で、当該最下位の階層の画像Ｔ１３の選択を複合機１に受け付けさせることができる。
【００８９】
つまり、上記のように、複数階層表示処理の実行により表示された関連画像が選択肢画像を構成する画像のうち最下位の階層の画像である場合には、当該関連画像と、当該複数階層表示処理の実行時における被指定画像である、当該関連画像に対応付けられた一つ上位の階層の画像とを同時に視認して、当該被指定画像の選択を複合機１に受け付けさせる手間をかけることなく、迅速に意図した関連画像の選択を複合機１に受け付けさせることができる。
【００９０】
尚、上記第１実施形態において図１乃至図６に示した構成は単なる一例に過ぎず、本発明を当該第１実施形態に限定する趣旨ではない。例えば、表示制御部１２は、複数階層表示処理において、上位階層非表示処理を実行しないように構成してもよい。
【００９１】
（第２実施形態）
また、表示制御部１２は、距離検出部８２により検出された空間距離Ｚが、複数階層表示処理の実行により表示された関連画像の階層の一つ上位の階層に対応付けられた閾値距離以上になると、当該関連画像を非表示にして、選択肢画像Ｄ１〜Ｄ３を構成する画像のうち、当該関連画像の階層の一つ上位の階層の全ての画像を表示領域Ｐに表示するように構成してもよい。
【００９２】
図７は、ユーザーが指を遠ざけたときの表示領域Ｐの表示内容の変化の一例を示す説明図である。例えば、第２実施形態における表示制御部１２は、図７に示すように、先ず、第１実施形態と同様に、選択肢画像Ｄ１〜Ｄ３のうち、最上位の第１階層の画像Ｔ１、Ｔ２、Ｔ３を表示領域Ｐに表示する（図７における  ａ）Ｚ≧Ｚ１の場合）。
【００９３】
そして、ユーザーが指示体を画像Ｔ１に近づけたことにより、距離検出部８２により検出された空間距離Ｚが第１階層に対応付けされた閾値距離Ｚ１よりも短くなると、表示制御部１２は、第１実施形態と同様に、複数階層表示処理を実行する。その結果、被指定画像としての画像Ｔ１と、関連画像としての画像Ｔ１１〜Ｔ１４が表示領域Ｐに表示された状態になる（図７における  ｂ）Ｚ２≦Ｚ＜Ｚ１の場合）。
【００９４】
ここで、ユーザーが表示領域Ｐに表示された関連画像としての画像Ｔ１１〜Ｔ１４を視認して、誤って画像Ｔ１を選択しようとしていたことに気付き、指示体を画像Ｔ１から遠ざけたとする。これにより、距離検出部８２により検出された空間距離Ｚが、当該複数階層表示処理の実行により表示された関連画像Ｔ１１〜Ｔ１４の階層である第２階層の一つ上位の第１階層に対応付けられた閾値距離Ｚ１以上になったとする。このとき、表示制御部１２は、当該関連画像Ｔ１１〜Ｔ１４を非表示にして、選択肢画像Ｄ１〜Ｄ３を構成する画像のうち、当該関連画像Ｔ１１〜Ｔ１４の階層である第２階層の一つ上位の第１階層の全ての画像Ｔ１〜Ｔ３を表示領域Ｐに表示する（図７における  ｃ）Ｚ≧Ｚ１の場合）。
【００９５】
つまり、第２実施形態の構成によれば、距離検出部８２により検出された空間距離Ｚが、複数階層表示処理の実行により表示された関連画像Ｔ１１〜Ｔ１４の一つ上位の階層である第１階層に対応付けられた閾値距離Ｚ１以上になると、表示制御部１２により、当該関連画像Ｔ１１〜Ｔ１４が非表示にされる。更に、表示制御部１２により、選択肢画像Ｄ１〜Ｄ３を構成する画像のうち、当該関連画像Ｔ１１〜Ｔ１４の階層の一つ上位の第１階層の全ての画像Ｔ１〜Ｔ３が表示領域Ｐに表示される。
【００９６】
このため、ユーザーは、意図しない誤った第１階層の画像を選択しようとして、当該誤った画像に指示体を近づけた時点で、複数階層表示処理の実行によって表示された、当該画像に対応付けられた一つ下位の第２階層の画像を視認して、誤った上位の第１階層の画像を選択しようとしていることに気付くことができる。この場合、ユーザーは、指示体を表示領域Ｐから遠ざけるという容易な操作を行うことによって、表示制御部１２により、選択肢画像Ｄ１〜Ｄ３を構成する画像のうち、当該誤った画像と同階層の第１階層の全ての画像Ｔ１〜Ｔ３を表示させることができる。その結果、ユーザーは、再び上位の第１階層の画像から選択し直すことができる。このように、第２実施形態の構成によれば、ユーザーが選択肢画像を選択し直すときの操作性を向上することができる。
【００９７】
（第３実施形態）
更に、表示制御部１２は、座標検出部８３により検出された座標の位置に表示されている画像を拡大して表示するように構成してもよい。
【００９８】
図８は、座標検出部８３により検出された座標が変化したときの表示領域Ｐの表示内容の変化の一例を示す説明図である。例えば、図８に示すように、表示領域Ｐに画像Ｔ１、画像Ｔ１１〜Ｔ１４が表示されている場合に、ユーザーが指示体を画像Ｔ１１上に移動させることによって、座標検出部８３により検出された座標の位置に画像Ｔ１１が表示されている状態になったとする。このとき、第３実施形態における表示制御部１２は、座標検出部８３により検出された座標の位置に表示されている画像Ｔ１１を拡大して表示する。
【００９９】
これと同様に、ユーザーが指示体を画像Ｔ１３上に移動させることによって、座標検出部８３により検出された座標の位置に画像Ｔ１３が表示されている状態になったとする。このとき、表示制御部１２は、座標検出部８３により検出された座標の位置に表示されている画像Ｔ１３を拡大して表示する。
【０１００】
つまり、第３実施形態の構成によれば、座標検出部８３により検出された座標の位置に表示されている画像が拡大して表示されるので、ユーザーは選択しようとする画像の内容を把握し易くなる。
【０１０１】
即ち、第１乃至第３実施形態では、本発明に係る表示装置は、タッチパネル装置７１（液晶ディスプレイ８１、距離検出部８２、及び座標検出部８３）と、制御部１０（記憶部１１、表示制御部１２、及び選択受付部１３）と、を備えて構成されている。
【０１０２】
（第４実施形態）
また、表示制御部１２は、上記のプレビュー処理を実行し、プレビュー処理の実行によって表示されている原稿の画像のうち、座標検出部８３により検出された座標の位置に表示されている部分を、距離検出部８２により検出された空間距離Ｚに応じた拡大率で拡大して表示するように構成してもよい。
【０１０３】
図９は、表示制御部１２によってプレビュー処理が実行された後、座標検出部８３により検出された座標が変化したときの表示領域Ｐの表示内容の変化の一例を示す説明図である。例えば、図９に示すように、選択肢画像Ｄ１〜Ｄ３を構成する画像のうち、第１階層の画像Ｔ１〜Ｔ３が表示領域Ｐに表示されているとする（図９におけるＺ≧Ｚ１の場合）。
【０１０４】
そして、選択肢画像Ｄ３のうち最下位の階層の画像である画像Ｔ３にユーザーが指示体を近づけたことによって、座標検出部８３により検出された座標の位置に画像Ｔ３が表示されている状態となり、距離検出部８２により検出された空間距離Ｚが画像Ｔ３の階層である第１階層に対応付けられた閾値距離Ｚ１よりも短くなったとする。このとき、選択受付部１３は、座標検出部８３により検出された座標の位置に表示されている画像Ｔ１３の選択を受け付ける。つまり、選択受付部１３は、画像Ｔ１３に対応するプレビュー処理の実行指示の選択を受け付ける。
【０１０５】
第４実施形態における表示制御部１２は、選択受付部１３によってプレビュー処理の実行指示の選択が受け付けられると、プレビュー処理を実行する。つまり、表示制御部１２は、原稿の画像を原稿読取部５によって読み取らせ、当該読み取られた原稿の画像Ｇ１を表示領域Ｐ内の所定の画像表示領域Ｐ１に表示する（図９におけるプレビュー処理が実行された場合）。
【０１０６】
そして、例えば、ユーザーが画像表示領域Ｐ１に表示されている画像Ｇ１の右上に指示体を近づけたとすると、表示制御部１２は、座標検出部８３により検出された座標の位置を中心にして画像Ｇ１を拡大し、当該拡大した画像Ｇ１のうち、画像表示領域Ｐ１に対応する範囲だけを表示する（図９における指示体が画像Ｇ１に近づけられた場合）。尚、表示制御部１２は、画像Ｇ１を拡大して表示する場合に、距離検出部８２により検出された空間距離Ｚが短いほど拡大率を大きくし、距離検出部８２により検出された空間距離Ｚが長いほど拡大率を小さくする。
【０１０７】
つまり、第４実施形態の構成によれば、原稿読取部５によって読み取られた原稿の画像Ｇ１のうち、座標検出部８３により検出された座標の位置に表示されている部分が、指示体と表示領域Ｐとの間の空間距離Ｚに応じた拡大率で拡大して表示される。このため、ユーザーは、指示体を表示領域Ｐに近づけたり、遠ざけたりするという簡易な操作で、座標検出部８３により検出された座標の位置に表示されている部分の拡大率を変化させて、当該原稿の画像Ｇ１の内容を的確に把握することができる。
【０１０８】
即ち、第４実施形態では、本発明に係る表示装置は、原稿読取部５と、タッチパネル装置７１（液晶ディスプレイ８１、距離検出部８２、及び座標検出部８３）と、制御部１０（記憶部１１、表示制御部１２、選択受付部１３）と、を備えて構成されている。
【０１０９】
（第５実施形態）
また、表示制御部１２は、複数階層表示処理において、被指定画像が選択肢画像Ｄ１〜Ｄ３を構成する各画像の階層のうち最下位の階層とは異なるある一の階層の画像である場合に、距離検出部８２により検出された空間距離Ｚが前記一の階層に対応付けられた副閾値距離以上である間、前記一の階層と同じ階層の画像であって被指定画像とは異なる指定外画像を透過した状態で表示領域Ｐに表示し、距離検出部８２により検出された空間距離Ｚが前記一の階層に対応付けられた副閾値距離より短くなると、指定外画像を非表示にする透過表示処理を更に実行するように構成してもよい。
【０１１０】
また、これに合わせて、表示制御部１２は、複数階層表示処理を連続して実行する場合、既に実行した複数階層表示処理における被指定画像を透過した状態で表示する指定済画像透過処理を行うように構成してもよい。
【０１１１】
図１０は、複数階層表示処理及び透過表示処理が実行されたときの表示領域Ｐの表示内容の変化の一例を示す説明図である。例えば、第５実施形態の表示制御部１２は、図１０に示すように、先ず、第１実施形態と同様に、選択肢画像Ｄ１〜Ｄ３のうち、最上位の第１階層の画像Ｔ１、Ｔ２、Ｔ３を表示領域Ｐに表示する（図１０におけるＺ≧Ｚ１の場合）。
【０１１２】
そして、ユーザーが指示体を画像Ｔ２に近づけたことにより、被指定画像が画像Ｔ２となり、且つ、距離検出部８２により検出された空間距離Ｚが画像Ｔ２の階層である第１階層に対応付けられた閾値距離Ｚ１よりも短くなったとする。このとき、表示制御部１２は、複数階層表示処理を実行する。その結果、被指定画像としての画像Ｔ２とともに、画像Ｔ２に対応付けられた一つ下位の階層の画像Ｔ２１〜Ｔ２３が関連画像として表示領域Ｐに表示された状態になる。
【０１１３】
また、被指定画像としての画像Ｔ２は、選択肢画像Ｄ２を構成する各画像の階層のうち最下位の階層とは異なる第１階層の画像である。このため、表示制御部１２は、当該複数階層表示処理において透過表示処理を実行する。
【０１１４】
表示制御部１２は、当該透過表示処理において、距離検出部８２により検出された空間距離Ｚが当該被指定画像Ｔ２の階層である第１階層に対応付けられた副閾値距離Ｚ１ａ以上である間は、被指定画像Ｔ２の階層と同じ第１階層の画像であって、被指定画像Ｔ２とは異なる指定外画像Ｔ１、Ｔ３を透過した状態で表示領域Ｐに表示する（図１０における  Ｚ１ａ≦Ｚ＜Ｚ１の場合）。
【０１１５】
そして、ユーザーが指示体を更に表示領域Ｐに近づけたことにより、距離検出部８２により検出された空間距離Ｚが当該被指定画像Ｔ２の階層に対応付けられた副閾値距離Ｚ１ａより短くなったとする。このとき、表示制御部１２は、被指定画像Ｔ２の階層と同じ第１階層の画像であって被指定画像Ｔ２とは異なる指定外画像Ｔ１、Ｔ３を非表示にする（図１０における  Ｚ２≦Ｚ＜Ｚ１ａの場合）。
【０１１６】
そして、ユーザーが指示体を画像Ｔ２１に近づけたことにより、被指定画像が画像Ｔ２１となり、且つ、距離検出部８２により検出された空間距離Ｚが画像Ｔ２１の階層である第２階層に対応付けられた閾値距離Ｚ２よりも短くなったとする。このとき、表示制御部１２は、複数階層表示処理を実行する。その結果、被指定画像としての画像Ｔ２１とともに、画像Ｔ２１に対応付けられた一つ下位の階層の画像Ｔ２１１、Ｔ２１２が関連画像として表示領域Ｐに表示された状態になる。
【０１１７】
また、表示制御部１２は、このように複数階層表示処理を連続して実行する場合、指定済画像透過処理を実行し、既に実行した複数階層表示処理における被指定画像Ｔ２を透過した状態で表示する。
【０１１８】
また、被指定画像としての画像Ｔ２１は、選択肢画像Ｄ２を構成する各画像の階層のうち最下位の階層とは異なる第２階層の画像である。このため、表示制御部１２は、当該複数階層表示処理においても透過表示処理を実行する。
【０１１９】
表示制御部１２は、当該透過表示処理において、距離検出部８２により検出された空間距離Ｚが当該被指定画像Ｔ２１の階層である第２階層に対応付けられた副閾値距離Ｚ２ａ以上である間は、被指定画像Ｔ２１の階層と同じ第２階層の画像であって、被指定画像Ｔ２１とは異なる指定外画像Ｔ２２、Ｔ２３を透過した状態で表示領域Ｐに表示する（図１０における  Ｚ２ａ≦Ｚ＜Ｚ２の場合）。
【０１２０】
そして、ユーザーが指示体を更に表示領域Ｐに近づけたことにより、距離検出部８２により検出された空間距離Ｚが当該被指定画像Ｔ２１の階層に対応付けられた副閾値距離Ｚ２ａより短くなったとする。このとき、表示制御部１２は、被指定画像Ｔ２１の階層と同じ階層の画像であって被指定画像Ｔ２１とは異なる指定外画像Ｔ２２、Ｔ２３を非表示にする（図１０における  Ｚ３≦Ｚ＜Ｚ２ａの場合）。
【０１２１】
つまり、当該複数階層表示処理の実行により表示された関連画像としての画像Ｔ２１１、Ｔ２１２は、選択肢画像Ｄ２のうち最下位の第３階層の画像になっている。そして、ユーザーが更に指示体を画像Ｔ２１１に近づけたことにより、座標検出部８３により検出された座標の位置に画像Ｔ２１１が表示されている状態となり、距離検出部８２により検出された空間距離Ｚが画像Ｔ２１１の階層である第３階層に対応付けられた閾値距離Ｚ３よりも短くなったとする。このとき、選択受付部１３は、座標検出部８３により検出された座標の位置に表示されている画像Ｔ２１１の選択を受け付ける（図１０におけるＺ＜Ｚ３の場合）。
【０１２２】
つまり、第５実施形態の構成によれば、複数階層表示処理において、被指定画像Ｔ２（Ｔ２１）が選択肢画像Ｄ２を構成する各画像の階層のうち最下位の階層とは異なる階層のうちのある一の階層の画像である場合に、距離検出部８２により検出された空間距離Ｚが前記一の階層に対応付けられた副閾値距離Ｚ１ａ（Ｚ２ａ）以上である間は、前記一の階層と同じ階層の画像であって被指定画像Ｔ２（Ｔ２１）とは異なる指定外画像Ｔ１、Ｔ３（Ｔ２２、Ｔ２３）が透過した状態で表示領域Ｐに表示され、距離検出部８２により検出された空間距離Ｚが前記一の階層に対応付けられた副閾値距離Ｚ１ａ（Ｚ２ａ）より短くなると、指定外画像Ｔ１、Ｔ３（Ｔ２２、Ｔ２３）が非表示にされる。
【０１２３】
このため、ユーザーは、被指定画像Ｔ２（Ｔ２１）に指示体を近づけた場合に、複数階層表示処理が実行されることによって表示された被指定画像Ｔ２（Ｔ２１）及び関連画像Ｔ２１〜Ｔ２３（Ｔ２１１、Ｔ２２）だけでなく、複数階層表示処理が実行された当初に指示体を更に被指定画像Ｔ２（Ｔ２１）に近づけたときに透過した状態で表示された指定外画像Ｔ１、Ｔ３（Ｔ２２、Ｔ２３）も同時に視認することができる。これによって、ユーザーは、被指定画像Ｔ２（Ｔ２１）及び当該被指定画像Ｔ２（Ｔ２１）に対応付けられた関連画像Ｔ２１〜Ｔ２３（Ｔ２１１、Ｔ２２）を誤って選択していないかどうかを判断し易くなる。
【０１２４】
尚、第５実施形態の構成において、表示制御部１２は、指定済画像透過処理を実行しないように構成してもよい。これに合わせて、表示制御部１２は、各複数階層表示処理における被指定画像に対応する画像Ｔ２、Ｔ２１を当該被指定画像に対応する画像Ｔ２、Ｔ２１よりも下位の画像の背面に透過しない状態で表示する、又は、当該被指定画像に対応する画像Ｔ２、Ｔ２１を非表示にするように構成してもよい。
【０１２５】
即ち、第５実施形態では、本発明に係る表示装置は、タッチパネル装置７１（液晶ディスプレイ８１、距離検出部８２、及び座標検出部８３）と、制御部１０（記憶部１１、表示制御部１２、及び選択受付部１３）と、を備えて構成されている。
【０１２６】
（第６実施形態）
また、制御部１０は、図３の破線部に示すように、表示制御部１２によって第５実施形態で説明した透過表示処理を実行させるか否かの選択をユーザーから受け付ける透過可否受付部１４として、更に機能するように構成してもよい。
【０１２７】
具体的には、透過可否受付部１４は、表示制御部１２によって透過表示処理を実行させるか否かをそれぞれ表す１階層で構成された選択肢画像を表示領域Ｐに表示するように構成されている。そして、透過可否受付部１４は、選択受付部１３と同様にして、座標検出部８３により検出された座標の位置に当該２つの選択肢画像のうちの何れかが表示されている場合に、距離検出部８２により検出された空間距離Ｚが、当該表示された選択肢画像の階層に対応付けられた閾値距離Ｚ１よりも短くなると、座標検出部８３により検出された座標の位置に表示されている選択肢画像の選択を受け付ける。
【０１２８】
そして、透過可否受付部１４が表示制御部１２によって透過表示処理を実行させることを示す画像の選択を受け付けた場合、表示制御部１２は透過表示処理を実行する。一方、透過可否受付部１４が表示制御部１２によって透過表示処理を実行させないことを示す画像の選択を受け付けた場合、表示制御部１２は、透過表示処理を実行しない。
【０１２９】
この構成によれば、ユーザーは、表示制御部１２によって透過表示処理を実行させるか否かを選択することができる。このため、ユーザーは、透過表示処理が実行されることによって指定外画像が透過した状態で表示されることにより、表示領域Ｐの表示内容が煩雑で視認しにくいと感じた場合に、表示制御部１２によって透過表示処理を実行させないことを選択する等して、表示領域Ｐの表示内容を適宜切り替えることができる。
【０１３０】
即ち、第６実施形態では、本発明に係る表示装置は、タッチパネル装置７１（液晶ディスプレイ８１、距離検出部８２、及び座標検出部８３）と、制御部１０（記憶部１１、表示制御部１２、選択受付部１３、及び透過可否受付部１４）と、を備えて構成されている。
【０１３１】
尚、本発明に係る表示装置は、上記複合機１等の画像形成装置に搭載されるものに限られず、他の電子機器、例えば、スキャナー装置、パーソナルコンピュータ、携帯電話、電子レンジ、洗濯機、カーナビゲーション装置、ゲーム機等、あらゆる電子機器に適用が可能である。
【符号の説明】
【０１３２】
１              複合機（画像形成装置）
４              画像形成部
５              原稿読取部
６              原稿給送部
７              操作部
１０            制御部
１１            記憶部
１２            表示制御部
１３            選択受付部
１４            透過可否受付部
７１            タッチパネル装置
８１            液晶ディスプレイ（表示部）
８２            距離検出部
８３            座標検出部
Ｄ１〜Ｄ３      選択肢画像
Ｐ              表示領域
Ｚ              空間距離
Ｚ１〜Ｚ３      閾値距離
Ｚ１ａ、Ｚ２ａ  副閾値距離
【図１】
2014232475.tif 000003
【図２】
2014232475.tif 000004
【図３】
2014232475.tif 000005
【図４】
2014232475.tif 000006
【図５】
2014232475.tif 000007
【図６】
2014232475.tif 000008
【図７】
2014232475.tif 000009
【図８】
2014232475.tif 000010
【図１０】
2014232475.tif 000011
【図９】
2014232475.tif 000012